(57)【特許請求の範囲】
【請求項１】
部屋の天井に、下面に長手方向を向く開口を有する中空のレールを配設し、このレールの内部を走行するランナの下面に、前記開口を挿通する吊支杆を垂設し、この吊支杆の下端部に移動間仕切を吊支して、移動間仕切が前記レールに沿って部屋の中を移動しうるようにした移動間仕切装置において、前記ランナに、前記レールの内部の断面形状とほぼ補形をなす遮音部材を取り付けたことを特徴とする移動間仕切装置におけるレール内部の遮音装置。
【請求項２】
部屋の天井に、下面に長手方向を向く開口を有する中空のメインレールと、このメインレールの中間部からメインレールと異なる方向に延出し、かつ下面に長手方向を向く開口を有する分岐レールとを配設し、前記メインレールと分岐レールの内部を走行するランナの下面に、前記メインレールと分岐レールの開口を挿通する回転自在な吊支杆を垂設し、この吊支杆の下端部に移動間仕切を吊支して、移動間仕切がメインレールと分岐レールに沿って前記部屋の中を移動しうるようにし、複数の移動間仕切が前記分岐レールに沿って並んだ際に、これらの移動間仕切により前記部屋が仕切られるようにするとともに、前記メインレールが、仕切られた小部屋の両方にまたがるようにした移動間仕切装置において、
前記分岐レールに沿って並んだ移動間仕切のランナのうち、前記メインレールの内部で停止するランナに、前記メインレールの内部の断面形状とほぼ補形をなす遮音部材を取り付けたことを特徴とする移動間仕切装置におけるレール内部の遮音装置。
【請求項３】
遮音部材を、可撓性のある弾性体により形成したことを特徴とする請求項１または２記載の移動間仕切装置におけるレール内部の遮音装置。
【請求項４】
ランナに、レールの開口の幅とほぼ同一の幅を有し、かつ前記開口を通って垂下する下部遮音部材を設けたことを特徴とする請求項１〜３のいずれかに記載の移動間仕切装置におけるレール内部の遮音装置。
【発明の詳細な説明】
【０００１】
【発明の属する技術分野】
本発明は、天井に配設したレールに沿って移動することにより、宴会場や会議室、多目的ホール等の空間を複数の部屋に仕切るようにした移動間仕切装置に関し、特に、移動間仕切によって仕切られた部屋と部屋との間の遮音性を高めるようにした移動間仕切装置におけるレール内部の遮音装置に関する。
【０００２】
【従来の技術】
図４〜図７は、従来の移動間仕切装置の一例を示す。
大部屋(Ｒ)の壁(１)の外側には、不使用時の移動間仕切(２)を収納するための収納庫(３)が設けられている。
収納庫(３)内の天井(４)には、４本の導入レール(６)が互いに平行に設けられており、各導入レール(６)の先端部は、大部屋(Ｒ)の天井(５)に、壁(１)に沿うようにして設けたメインレール(７)に接続されている。
【０００３】
メインレール(７)の中間部の複数の箇所には、メインレール(７)から反対側の壁（図示略）に向かって延出する分岐レール(８)が接続されている（図４では、２本の分岐レールのみを図示している）。
【０００４】
図７に例示するように、メインレール(７)は、下面の幅方向の中央部に長手方向を向く開口(12)を有する中空の断面ほぼ下向きコ字状をなし、天井(５)の上面に１対の断面Ｌ字形の支持材(９)(９)を介して固定されており、各レール(６)(７)(８)の左右の底片(10)(10)の上面には、後述するランナ(15)の車輪(16)を載せるためのレール板(11)が固着されている。他のレール(６)(８)についても同様である。
天井(５)におけるレール(６)(７)(８)の開口(12)と対向する部分は、その全長にわたって開口(13)している。
【０００５】
各移動間仕切(２)の上面における両側端部の近傍には、上方を向く２本の吊支杆(14)の下端部が回転自在に連結されており、各吊支杆(14)の上端部は、レール(６)(７)(８)の内部をレール板(11)に沿って移動するランナ(15)に回転自在に吊支されている。
【０００６】
ランナ(15)は、６個の車輪(16)がレール板(11)上を転動することにより、各ランナ(15)はレール(６)(７)(８)の内部を移動することができ、このランナ(15)の移動にあわせて、移動間仕切(２)は部屋(Ｒ)の中を移動することができる(図５参照)。
ランナ(15)の下面には、上下方向の軸回りに回転自在な案内ローラ(17)(17)が設けられており、この案内ローラ(17)がレール板(11)(10)同士の対向面に回転接触することにより、ランナ(16)はレール(６)(７)(８)の内部を円滑に移動することができる。
【０００７】
図４の仮想線で示すように、各移動間仕切(２)は、不使用時においては収納庫(３)内に重ねて収納されている。
移動間仕切(２)により大部屋(Ｒ)を仕切る場合には、各移動間仕切(２)を導入レール(６)からメインレール(７)に導き（図４の仮想線参照）、移動間仕切(２)が所望の分岐レール(８)(８)（図では、収納庫寄りの２本の分岐レールとしている）とメインレール(７)との分岐点に達したら、その分岐点に設けられた切換手段（図示略）を作動させて、移動間仕切(２)を分岐レール(８)に移動させる。
【０００８】
図４に破線で示すように、複数の移動間仕切(２)(２)…が分岐レール(８)に沿って一直線上に並ぶと、これらの移動間仕切(２)(２)…により、大部屋(Ｒ)が３つの小部屋(Ｒ１)(Ｒ２)(Ｒ３)に仕切られる。
【０００９】
移動間仕切(２)が分岐レール(８)に沿って並べられた後、各移動間仕切(２)の上面に設けた上下動自在な上部閉塞部材(18)（図６参照）を天井(５)側に移動させて、その上面に設けたゴム製のシール材(19)を天井(５)に密接させ、かつ、各移動間仕切(２)の側端面に設けたシール材（図示略）を、隣り合う移動間仕切(２)の側端面に密接させるとともに、壁(１)に隣接する移動間仕切(２)の側端面のシール材（図示略）を壁(１)に密接させることにより、各小部屋(Ｒ１)(Ｒ２)(Ｒ３)の間の遮音が図られている。
【００１０】
【発明が解決しようとする課題】
上述した従来の移動間仕切装置においては、図６に示すように、隣り合う小部屋(Ｒ１)(Ｒ２)(Ｒ３)の間は、メインレール(７)の内部空間及び天井(５)の開口(13)を通じて互いに連通しており、また、図７に示すように、メインレール(７)の内壁とランナ(15)との間には若干の空間が形成されているため、それぞれの小部屋(Ｒ１)(Ｒ２)(Ｒ３)で生じた音は、図６に仮想線の矢印で示すように、メインレール(７)の内部空間、または天井(５)の開口(13)を通って、隣の小部屋(Ｒ１)(Ｒ２)(Ｒ３)へ伝わってしまい、各小部屋(Ｒ１)(Ｒ２)(Ｒ３)の間を完全に遮音することはできない。
【００１１】
本発明は、上述のような問題点を解決するためになされたもので、移動間仕切によって仕切られた隣り合う部屋の間にまたがるレールの内部空間の遮音を図ることにより、この内部空間を伝達経路として、各小部屋で生じた音が隣りの小部屋に伝わることがないようにし、もって隣り合う部屋同士の間の遮音性を高めるようにした、移動間仕切装置におけるレール内部の遮音装置を提供することを目的としている。
【００１２】
【課題を解決するための手段】
本発明によると、上記課題は、次のようにして解決される。
(１) 部屋の天井に、下面に長手方向を向く開口を有する中空のレールを配設し、このレールの内部を走行するランナの下面に、前記開口を挿通する吊支杆を垂設し、この吊支杆の下端部に移動間仕切を吊支して、移動間仕切が前記レールに沿って部屋の中を移動しうるようにした移動間仕切装置において、前記ランナに、前記レールの内部の断面形状とほぼ補形をなす遮音部材を取り付ける。
【００１３】
(２) 部屋の天井に、下面に長手方向を向く開口を有する中空のメインレールと、このメインレールの中間部からメインレールと異なる方向に延出し、かつ下面に長手方向を向く開口を有する分岐レールとを配設し、前記メインレールと分岐レールの内部を走行するランナの下面に、前記メインレールと分岐レールの開口を挿通する回転自在な吊支杆を垂設し、この吊支杆の下端部に移動間仕切を吊支して、移動間仕切がメインレールと分岐レールに沿って前記部屋の中を移動しうるようにし、複数の移動間仕切が前記分岐レールに沿って並んだ際に、これらの移動間仕切により前記部屋が仕切られるようにするとともに、前記メインレールが、仕切られた小部屋の両方にまたがるようにした移動間仕切装置において、前記分岐レールに沿って並んだ移動間仕切のランナのうち、前記メインレールの内部で停止するランナに、前記メインレールの内部の断面形状とほぼ補形をなす遮音部材を取り付ける。
【００１４】
(３) 上記(１)または(２)項において、遮音部材を、可撓性のある弾性体により形成する。
【００１５】
(４) 上記(１)〜(３)項のいずれかにおいて、ランナに、レールの開口の幅とほぼ同一の幅を有し、かつ前記開口を通って垂下する下部遮音部材を設ける。
【００１６】
【発明の実施の形態】
以下、本発明の一実施形態を備える移動間仕切装置について、図１〜図３を参照しながら説明する。なお、従来例と同じ部材には同じ符号を付すに止めて、その詳細な説明は省略する。
以下の説明では、図１の左側を「前方」、右側を「後方」とする。
【００１７】
各分岐レール(８)に沿って並べられた全ての移動間仕切(２)のうち、最もメインレール(７)寄りの移動間仕切(2')のメインレール(６)上で停止するランナ(15')の前端部には、側面視ほぼ倒立Ｌ字形をなすとともに、左右両端部に斜め後方を向くガイド片(20)が設けられたガイド部材(21)が固着されている。
【００１８】
ガイド部材(21)の前面には、正面形状が各レール(６)(７)(８)の内部空間の断面形状とほぼ補形をなす、ゴムや軟質塩化ビニル等の弾性体よりなる遮音部材(22)が、抑え部材(23)とガイド部材(21)との間に挟まれるようにして、かつ、その上縁部と両側縁部とがメインレール(７)の内面に密接するようにして（図３参照）、取り付けられている。
【００１９】
ランナ(15')の下面のほぼ中央部には、側面視ほぼ下向きコ字形をなすとともに、その上面吊支ボルト(14)を通すための通孔(24)が穿設された取付部材(25)の上面が固着されている。
【００２０】
取付部材(25)の前後両面には、図３に示すように、ランナ(15')の下面から天井(５)の開口(13)までの空間とほぼ補形をなすとともに、開口(12)の幅とほぼ同一の幅(図３の例では開口(13)の幅に合わせてある)を有して、開口(12)内を垂下する、ゴムまたは軟質塩化ビニル等の弾性体からなる下部遮音部材(26)が、側面視ほぼＬ字形の下部抑え部材(27)と取付部材(25)との間に挟まれるようにして、かつ、左右の側縁部の下部が天井(５)の開口(13)に密接するようにして取り付けられている。
【００２１】
図２及び図３に示すように、下部抑え部材(27)の下面は天井(５)面と等高をなし、移動間仕切(２')の上部閉塞部材(18)が天井(５)側に上昇すると、シール材(19)が下部抑え部材(27)の下面に密接するようにしてある。
【００２２】
このような本実施形態によると、図２に仮想線の矢印(Ａ１)(Ａ２)(Ａ３)で示すように、小部屋(Ｒ２)で生じた音(Ａ１)(Ａ２)(Ａ３)が、メインレール(７)の内部空間、天井(５)の開口(13)、及び天井(５)の開口(13)と移動間仕切(２')の上面との間を通って小部屋(Ｒ２)側から小部屋(Ｒ１)側に流れようとすると、遮音部材(22)及び下部遮音部材(26)及びシール材(19)とにより、音(Ａ１)(Ａ２)(Ａ３)の小部屋(Ｒ１)側への流れが遮断される。
【００２３】
図２に仮想線の矢印(Ａ４)で示すように、遮音部材(22)と下部遮音部材(26)との間に向かった音(Ａ４)の大部分は、ランナ(15')自体により遮断され、かつ残りの部分は、ランナ(15')や車輪(16)等とメインレール(７)の内壁との間に生じた僅かな隙間をぬって迂回する間に、エネルギーが漸次減衰させられるため、この音(Ａ４)が部屋(Ｒ１)に与える影響はほとんどない。
【００２４】
このように、本実施形態では、移動間仕切(２)(２')同士の間や移動間仕切(２)(２')と壁(１)や天井(５)との間のみならず、メインレール(７)の内部空間や天井(５)の開口(13)を、遮音部材(22)や下部遮音部材(26)で塞いでいるので、小部屋(Ｒ２)と小部屋(Ｒ１)との間をほぼ完全に遮音することができる。
なお、小部屋(Ｒ１)で生じた音が小部屋(Ｒ２)側に伝達しようとする場合も上記と同じような結果となり、また、小部屋(Ｒ２)と小部屋(Ｒ３)との間においても同様である。
【００２５】
またランナ(15')が、導入レール(６)とメインレール(７)との間の角部を通過する場合や、蛇行するレール（図示略）を移動する場合には、遮音部材(22)の左右両側部がレールの内壁に当接することがあるが、このような場合は、図１に仮想線で示すように、遮音部材(22)の左右両端部がガイド片(20)に当接するまで斜め後方に弾性変形するので、遮音部材(22)がランナ(15)の円滑な移動を妨げることはない。
【００２６】
【発明の効果】
本発明によれば、次のような効果を奏することができる。
(ａ) 請求項１記載の発明によれば、中空のレール内を流れる音を効果的に遮断し、遮音性を高めることができる。
【００２７】
(ｂ) 請求項２記載の発明のように、間仕切時に最も外側となる移動間仕切におけるメインレール内に停止するランナに遮音部材を取り付ければ、上記(ａ)の効果を最も享受することができる。
【００２８】
すなわち、移動間仕切により部屋を複数の部屋に仕切った場合に、ある部屋で生じた音が、メインレールの内部空間を通って隣の部屋側に流れ込もうとすると、メインレール内部における音の伝達が遮音部材により妨げられるので、音がメインレールの内部を通って隣の部屋に伝達されることはなく、移動間仕切同士の間や、移動間仕切と部屋の壁等との間を遮音していれば、隣合う部屋同士の間をほぼ完全に遮音することができる。
【００２９】
(ｃ) 請求項３記載の発明によれば、ランナがメインレールから分岐レールへ方向を変えながら移動する場合や、蛇行するレールの内部を移動する場合等に、遮音部材の両側部がレールの内壁等に当接することがあるが、このような場合にも、遮音部材の両端部が弾性変形して、遮音部材とレールの内壁等との接触抵抗を低減するので、遮音部材がランナの円滑な移動を妨げることはない。
【００３０】
(ｄ) 請求項４記載の発明によれば、ある部屋で生じた音が、レールの下面の開口の間を通って隣の部屋側に流れようとしても、下部遮音部材により、その流れが阻止されるので、隣合う部屋同士をさらに確実に遮音することができる。
【図面の簡単な説明】
【図１】本発明の一実施形態を備える移動間仕切装置の要部の拡大横断平面図である。
【図２】図１のII−II線に沿う拡大縦断側面図である。
【図３】図２のIII−III線に沿う拡大縦断正面図である。
【図４】従来の移動間仕切装置を設けた部屋を、天井側から見た平面図である。
【図５】図４のＶ部の拡大横断平面図である。
【図６】図５のVI−VI線に沿う拡大縦断側面図である。
【図７】図６のVII−VII線に沿う拡大縦断正面図である。
【符号の説明】
(１)壁
(２)(２')移動間仕切
(３)収納庫
(４)(５)天井
(６)導入レール
(７)メインレール
(８)分岐レール
(９)支持材
(10)底片
(11)レール板
(12)開口
(13)開口
(14)吊支杆
(15)(15')ランナ
(16)車輪
(17)案内ローラ
(18)上部閉塞部材
(19)シール材
(20)ガイド片
(21)ガイド部材
(22)遮音部材
(23)抑え部材
(24)通孔
(25)取付部材
(26)下部遮音部材
(27)下部抑え部材
(Ａ１)(Ａ２)(Ａ３)(Ａ４)音の流れ
(Ｒ)大部屋
(Ｒ１)(Ｒ２)(Ｒ３)小部屋
【図１】
0003653657.tif 000002
【図２】
0003653657.tif 000003
【図３】
0003653657.tif 000004
【図４】
0003653657.tif 000005
【図５】
0003653657.tif 000006
【図６】
0003653657.tif 000007
【図７】
0003653657.tif 000008